(57)【要約】【課題】正イオンおよび負イオンを効率よくできないものであった。【解決手段】送風機は、本体と、前記本体に配置し、回転軸に軸支した羽根を備えるファンと、正電極および負電極を有するイオン発生部を備え、前記イオン発生部は、前記ファンの回転軸から前記正電極までの第１の距離と前記ファンの回転軸から前記負電極までの第２の距離とが異なるように前記本体に配置する。【選択図】図６
2020190351.tif 000002
【特許請求の範囲】
【請求項１】
本体と、
前記本体に配置し、回転軸に軸支した羽根を備えるファンと、
正電極および負電極を有するイオン発生部を備え、
前記イオン発生部は、前記ファンの回転軸から前記正電極までの第１の距離と前記ファンの回転軸から前記負電極までの第２の距離とが異なるように前記本体に配置する、
送風機。
【請求項２】
前記イオン発生部は、前記ファンが回転する方向に対し、前記負電極、前記正電極の順になるよう前記本体に配置する、
請求項１に記載の送風機。
【請求項３】
前記イオン発生部は、前記羽根の回転半径の内側に配置され、
前記第２の距離は、前記第１の距離より長い、
請求項１または請求項２に記載の送風機。
【請求項４】
前記イオン発生部は、前記羽根の回転半径の外側に配置され、
前記第２の距離は、前記第１の距離より短い、
請求項１または２に記載の送風機。
【請求項５】
前記イオン発生部は、前記羽根の長手方向の先端側に位置するように前記本体に配置する、
請求項１から請求項４の何れか１項に記載の送風機。
【発明の詳細な説明】
【技術分野】
【０００１】
本発明は、送風機に関する。
【背景技術】
【０００２】
特許文献１には、室内の天井面に設置する照明を行うシーリングライトと送風ファンとイオンを発生するイオン発生装置とを一体化した送風機が開示される。この送風機は天井面に取り付ける本体の中央に送風ファンを配置し、本体の下面にイオン発生装置を配置している。
【０００３】
イオン発生装置は、正電極と負電極を有する放電電極と、放電電極の各電極に対応する誘導電極とを備えており、放電することにより正イオンおよび負イオンを生じる。
【０００４】
送風機では、イオン発生装置で生じる正イオンおよび負イオンを送風ファンにより発生する気流にのせて室内空間に拡散する。
【先行技術文献】
【特許文献】
【０００５】
【特許文献１】特開２０１８−１７９００７号公報（２０１８年１１月１５日公開）
【発明の概要】
【発明が解決しようとする課題】
【０００６】
しかしながら、上記送風機では、送風ファンにより発生する同じ方向の気流に正イオンと負イオンが流されることにより、正負のイオン同士が中和されてしまう場合がある。また、室内空間において正イオン量と負イオン量のバランスが悪くなる場合がある。
【０００７】
そこで、本発明の一態様は、上記点に鑑みて、正イオンおよび負イオンを効率よく室内に拡散することができる送風機を実現する。
【課題を解決するための手段】
【０００８】
（１）本発明の一態様に係る送風機は、本体と、前記本体に配置し、回転軸に軸支した羽根を備えるファンと、正電極および負電極を有するイオン発生部を備え、前記イオン発生部は、前記ファンの回転軸から前記正電極までの第１の距離と前記ファンの回転軸から前記負電極までの第２の距離とが異なるように前記本体に配置する。
【０００９】
（２）本発明の一態様に係る送風機は、前記イオン発生部は、前記ファンが回転する方向に対し、前記負電極、前記正電極の順になるよう前記本体に配置する。
【００１０】
（３）本発明の一態様に係る送風機は、前記イオン発生部は、前記羽根の回転半径の内側に配置され、前記第２の距離は、前記第１の距離より長い。
【００１１】
（４）本発明の一態様に係る送風機は、前記イオン発生部は、前記羽根の回転半径の外側に配置され、前記第２の距離は、前記第１の距離より短い。
【００１２】
（５）本発明の一態様に係る送風機は、前記イオン発生部は、前記羽根の長手方向の先端側に位置するように配置する。
【図面の簡単な説明】
【００１３】
【図１】本実施形態に係る送風機を示す正面断面図である。
【図２】本実施形態に係る送付機を示す底面図である。
【図３】本実施形態に係る送付機を示す分解斜視図である。
【図４】（ａ）イオン発生部を示す斜視図である。（ｂ）図４（ａ）に示すイオン発生部の平面図である。
【図５】天井側から下方を見た場合の送風機のファンによって発生する気流を模式的に示す平面図である。
【図６】本体下面に配置したイオン発生部および通過する気流との関係を模式的に示す平面図である。
【図７】本体下面に配置したイオン発生部および通過する気流との関係を模式的に示す平面図である。
【図８】本体下面に配置したイオン発生部および通過する気流との関係を模式的に示す平面図である。
【図９】（ａ）他のイオン発生部を示す平面図である。（ｂ）本体下面に配置した他のイオン発生部および通過する気流との関係を模式的に示す平面図である。
【図１０】（ａ）イオン発生部の変形例１を示す斜視図である。（ｂ）図１０（ａ）に示すイオン発生部の平面図である。（ｃ）本体下面に配置したイオン発生部および通過する気流との関係を模式的に示す平面図である。
【図１１】（ａ）イオン発生部の変形例２を示す斜視図である。（ｂ）図１１（ａ）に示すイオン発生部の平面図である。（ｃ）本体下面に配置したイオン発生部および通過する気流との関係を模式的に示す平面図である。
【図１２】照明本体に設置したイオン発生部および通過する気流との関係を模式的に示す平面図である。
【図１３】送風機のファンを可動した際に発生する風速分布を示す側面図である。
【図１４】（ａ）従来の送風機を示す平面図である。（ｂ）本実施形態に係る送風機を示す平面図である。
【発明を実施するための形態】
【００１４】
［実施形態１］
本開示の実施形態１は、図１〜図６を用いて説明する。図１は、本実施形態に係る送風機を示す正面断面図である。図２は、本実施形態に係る送風機を示す底面図である。
【００１５】
送風機１は、本体２と、本体２に配置するファン３と、正電極３１および負電極３２を有するイオン発生部５を備えている。本体２の所定の箇所にはイオン発生部５を配置しており、詳細については後述する。
【００１６】
本体２は、例えば、略円筒形状に形成して、本体２の裏面側には天井Ｌに取り付けるための取付部材（図示しない）を設けている。取付部材には、例えば引掛シーリングを用いる。また、本体２は、後述する照明部４の照明本体２０を含む。
【００１７】
また、本体２には、ファン３、照明部４及びイオン発生部５の電源基板や制御基板を内装しており、本体２の下面の中央部には、ファン３を載置している。
【００１８】
ファン３は、気流を発生する羽根車１０と、羽根車１０を軸支し回転駆動するためのモータ部１３とを有している。ファン３は、例えば軸流ファン等で構成している。
【００１９】
羽根車１０は、複数の羽根１１，・・，１１を円筒形状のボス部１２の外周面に配設している。羽根車１０は、ボス部１２にモータ部１３の回転軸１４を軸支し、ボス部中央から突出した回転軸１４の先端を固定ネジ１５で固定している。羽根車１０は、半径をＲとする。
【００２０】
本体２の下面２ｂと羽根車１０の上端１０ａとの間には、羽根車１０に送気される空気が流通する空間Ｓが形成される。
【００２１】
図２に示すように、羽根車１０は、モータ部１３の駆動により本体２の取付面（天井面Ｌ）に垂直な回転軸１４を中心に矢印Ｇに示すように下面から見て時計回りの正方向に回転して下方に気流を送出する。
【００２２】
図３に示すように、本体２には、その周縁部２ｃに複数のステー６，６，６を所定の角度をなすように配設し、各ステー６の先端６ａに照明部４を取り付ける。各ステー６同士の間には、ファン３の上端１０ａ側へ空気が流入するための流通口Ｓ１，Ｓ１，Ｓ１を形成している。
【００２３】
照明部４は、中央にファン３を内装するための例えば略筒状の空洞部２１を形成した環状の照明本体２０を備えている。照明本体２０は、その空洞部２１にファン３の外周を囲む構成としている。照明本体２０には、光源としてのＬＥＤ等を内装し、光源を照明カバー２２で覆う構成としている。
【００２４】
照明カバー２２は、例えば光透過性の樹脂等により形成している。照明本体２０の上面２０ａは、例えば平らに形成されて、各ステー６の先端６ａが固定される。照明本体２０は、例えば断面多角形状に形成している。
【００２５】
羽根車１０は、照明本体２０の空洞部２１に収納し、回転駆動するためのモータ部１３の回転軸１４に軸支し、同回転軸１４の先端部を固定ネジ１５で固定することにより回転自在となる。
【００２６】
なお、照明部４は、例えば照明本体２０を周方向に４分割し、分割した照明本体同士を環状に連結する構成としてもよい。
【００２７】
照明本体２０の下端には、開口部２３を覆うための複数のブレードを有するファンガード７が設けられる。ファンガード７は、羽根車１０に異物等が接触することを防ぐことができる。なお、ファンガード７は送風機１の構成によっては設けない場合もある。
【００２８】
図４に示すイオン発生部５は、例えば略細長箱形状の筐体３０と、筐体３０上部の各開口部３０ａ、３０ｂより突出し、放電を生じさせる放電電極の正電極３１と負電極３２と、各放電電極に対向し、各開口部３０ａ，３０ｂの周縁に設けられた各誘導電極３３，３４と、を有している。
【００２９】
また、筐体３０の上部の長手方向には、正電極３１および負電極３２への接触を防ぐための門型フレーム３５，３５を設けている。なお、門型フレーム３５，３５は、筐体上部の短辺方向に複数設けてもよい。イオン発生部５の放電電極（正電極３１、負電極３２）および誘導電極３３，３４は、本体２の制御基板に接続され放電制御される。
【００３０】
正電極３１および負電極３２は、例えば複数の糸状の導電体を束ねた略ブラシ形状に形成して、下部を筐体３０内に固定している。なお、正電極３１および負電極３２は、例えば、略針形状の構成であってもよい。
【００３１】
ブラシ状の電極を備えるイオン発生部５は、正負イオンを発生する領域の面積が増大しているので、針状の電極と比較して、同じ電圧を印加したときのイオン発生量を増大することができる。
【００３２】
イオン発生部５では、一方の放電電極の正電極３１に正の高圧パルスを印加し、他方の負電極３２に負の高圧パルスを印加すると、同放電電極の正電極３１と負電極３２の先端では、コロナ放電が発生し、正イオンと負イオンを発生する。
【００３３】
なお、正イオンは、水素イオン（Ｈ＋）の周囲に複数の水分子がクラスター化したクラスターイオンであり、Ｈ＋（Ｈ２Ｏ）ｍ（ｍは０以上の任意の整数）と表わされる。負イオンは、酸素イオン（Ｏ２−）の周囲に複数の水分子がクラスター化したクラスターイオンであり、Ｏ２−（Ｈ２Ｏ）ｎ（ｎは０以上の任意の整数）と表わされる。
【００３４】
また、正イオンおよび負イオンを空気中内に放出すると、両イオンが空気中を浮遊するカビ菌やウィルスの周りを取り囲み、その表面上で互いに化学反応を起こす。その際に生成される放電生成物の水酸化ラジカル（・ＯＨ）の作用により、浮遊カビ菌などが除去される。
【００３５】
イオン発生部５は、放電により空気中において例えば、電子、イオン、ラジカル、オゾン等の放電生成物を生成する。
【００３６】
上述するイオン発生部５の放電により生じる正イオンおよび負イオンは、打ち消し合う性質であるため、正イオンおよび負イオンを同じ方向の気流（例えば図１４（ａ）参照）に乗せると互いに打ち消し合って中和されてしまい、室内の遠くまで拡散されず、正イオンおよび負イオンの両イオンが揃って存在することで発揮される効果が軽減される。そこで、イオン発生部で発生する正イオンおよび負イオンをそれぞれ広く拡散できるように、イオン発生部５を本体２の所定の位置に配置するようにした。なお、イオン発生部５は、剥き出しの両電極に手や指が直接触れないように、開口部を設けたケースで覆う構成としてもよい。
【００３７】
先ずは送風機１のファン３によって生じる気流について説明する。図５は、天井側から下方を見た場合（羽根車１０の上端側）の送風機１のファン３によって発生する気流を模式的に示す平面図である。なお、天井側から下方とは、図１中のＶ−Ｖ線の方向である。
【００３８】
送風機１は、照明部４を点灯することにより室内の照明が行われ、さらに、モータ部１３が回転駆動により羽根車１０が矢印Ｇ（図２参照）に示す正方向に回転すると、矢印Ｋ１（図１参照）に示すように天井付近の空気が流通口Ｓ１を介して羽根車１０の吸気側（羽根車１０の上端１０ａ側）に供給される。空気は羽根車１０によって矢印Ｋ２（図１参照）に示すように照明本体２０の開口部２３からファンガード７へと順に通過して下方に送出される。これにより、送風機１では室内の空気循環を行う。
【００３９】
イオン発生部５は、本体２の下面２ｂに載置しており、イオン発生部５の上部はファン３の羽根車１０の上端１０ａ側に対向するように位置している。イオン発生部５の上部には放電電極の正電極３１と負電極３２および両誘導電極３３，３４が設けられており、放電により正電極３１および負電極３２で発生する正イオンおよび負イオンを、本体２の下面２ｂと羽根車１０の上端１０ａとの空間Ｓに放出する。
【００４０】
図３および図６に示すように、イオン発生部５は、ファン３の回転軸１４から正電極３１までの第１の距離ｒ１とファン３の回転軸１４から負電極３２までの第２の距離ｒ２とが異なるように本体２の下面２ｂに配置する。
【００４１】
かかる構成によれば、イオン発生部５の正電極３１により生じる正イオンと負電極３２により生じる負イオンがそれぞれ異なる気流Ｗ２，Ｗ１に運ばれることで、正負イオンの発生直後に、正イオンと負イオン同士の中和が減り、正イオンおよび負イオンを異なる気流Ｗ２，Ｗ１にそれぞれ乗せて、効率よく室内に放出し、かつ、室内での正イオン量と負イオン量とをバランス良くすることができる。
【００４２】
また、ファン３は、回転することにより旋回風Ｗを発生しており、旋回風Ｗの風上側にイオン発生部５の負電極３２を配置し、旋回風Ｗの風下側にイオン発生部５の正電極３１を配置する。なお、旋回風Ｗは、ファン３の回転軸１４から離れた位置を風上とし、ファン３の回転軸１４に近い位置を風下としている。
【００４３】
かかる構成によれば、イオン発生部５の負電極３２により生じる負イオンを旋回風Ｗの風上側から送風するため、消滅しやすい負イオンを室内空間に多く拡散することができる。
【００４４】
また、イオン発生部５は、ファン３が回転する方向に対し、負電極３２、正電極３１の順になるよう本体２の下面２ｂに配置する。
【００４５】
図６に示すように、ファン３の回転軸１４からイオン発生部５の負電極３２までの第２の距離ｒ２は、ファン３の回転軸１４からイオン発生部５の正電極３１までの第１の距離ｒ１より長くなるようにイオン発生部５を本体２の下面２ｂに配置するのが好ましい。
【００４６】
かかる構成によれば、イオン発生部５の正電極３１により生じる正イオンが回転軸１４に近い気流Ｗ２に運ばれ、負電極３２により生じる負イオンが回転軸１４から遠い気流Ｗ１に運ばれる。正負イオンがそれぞれ異なる気流Ｗ２，Ｗ１に運ばれることにより、正イオンと負イオン同士の中和が減り、正イオンおよび負イオンを効率よく室内に放出し、かつ、室内での正イオン量と負イオン量をバランス良くすることができる。
【００４７】
また、第１の距離ｒ１は、羽根車１０の羽根１１の回転半径Ｒよりも短い。かかる構成によれば、正電極３１を羽根１１の回転半径Ｒの内側に位置しているため、正電極３１で生じる正イオンを気流に乗せて、ファン３の吸気側から吹出側へ送り、室内に放出することができる。
【００４８】
さらに、イオン発生部５は、本体２の下面２ｂにおいて、羽根車１０の羽根１１の長手方向の先端側に近い位置に配置する。負電極３２は本体２の下面２ｂでかつファン３で発生する風速分布の最大付近に位置する。正電極３１は本体２の下面２ｂでかつ負電極３２より回転軸１４に近い位置（負電極３２より風速が低い位置）に位置する。
【００４９】
かかる構成によれば、イオン発生部５で生じる正イオンおよび負イオンを、羽根車１０の羽根１１の先端付近で生じる強い気流にのせることができるため、ファン３の回転数を上げることなく、正負イオンを室内に送出することができる。
【００５０】
なお、図７のイオン発生部５は、１８０度回転して本体２の下面２ｂに配置するようにしてもよい。負電極３２は本体２の下面２ｂでかつファン３で発生する風速分布の最大付近に位置する。正電極３１は本体２の下面２ｂでかつ負電極３２より回転軸１４に近い位置（負電極３２より風速が低い位置）に位置する。かかる構成においても上記実施形態と同様の効果を奏すことができる。
【００５１】
また、図８のイオン発生部５では、正電極３１が旋回風Ｗの風上側に位置し、負電極３２が旋回風Ｗの風下側に位置している。イオン発生部５は、第１の距離ｒ１が第２の距離ｒ２より長くなるように、本体２の下面２ｂに配置してもよい。正電極３１は本体２の下面２ｂでかつファン３で発生する風速分布の最大付近に位置する。負電極３２は本体２の下面２ｂでかつ正電極３１より回転軸１４に近い位置（正電極３１より風速が低い位置）に位置する。かかる構成においてもイオン発生部５の正電極３１により生じる正イオンと負電極３２により生じる負イオンがそれぞれ異なる気流Ｗ２，Ｗ１に運ばれることで、正負イオンの発生直後に、正イオンと負イオン同士の中和が減り、正イオンおよび負イオンを異なる気流Ｗ２，Ｗ１にそれぞれ乗せて、効率よく室内に放出し、かつ、室内での正イオン量と負イオン量とをバランス良くすることができる。
【００５２】
上述したイオン発生部５は、図４（ｂ）に示すように、平面視において筐体３０の中央を横断する線上に正電極３１の先端と負電極３２の先端を並べて配置する構成としたが、図９（ａ）に示すように、イオン発生部５−１は、平面視において筐体３０の対角線上に正電極３１の先端と負電極３２の先端を配置する構成であってもよい。
【００５３】
イオン発生部５−１を本体２の下面２ｂに載置すると、図９（ｂ）に示すように、ファン３の回転軸１４からイオン発生部５−１の筐体３０の両角部までの距離は等しいものの、ファン３の回転軸１４から正電極３１までの距離ｒ１と同回転軸１４から負電極３２までの距離ｒ２とが異なるように配置することができる。負電極３２は本体２の下面２ｂでかつファン３で発生する旋回風Ｗの風速分布の最大付近に位置する。正電極３１は本体２の下面２ｂでかつ負電極３２より回転軸１４に近い位置（負電極３２より風速が低い位置）に位置する。かかる構成によれば、上述した実施形態と同様の効果を奏することができる。なお、上記イオン発生部５−１は、平面視において筐体３０の右肩下がりの対角線上に正電極３１の先端と負電極３２の先端を配置する構成としたが、図９（ｂ）中の距離ｒ１と距離ｒ２の関係が、距離ｒ２＜距離ｒ１となるように、筐体３０の右肩上がりの対角線上に正電極３１の先端と負電極３２の先端を配置する構成としてもよい。
【００５４】
また、図１０および図１１に示すように、イオン発生部５の変形例は、放電電極としての複数の正電極および負電極と複数の誘導電極とを有するものであってもよい。
【００５５】
［変形例１］
図１０（ａ）および図１０（ｂ）に示すように、イオン発生部５−２の筐体３０には、例えば２つの正電極３１−１，３１−２と２つの負電極３２−１，３２−２とを横方向に一直線に並べて配置する。複数の電極を有するイオン発生部５−２を本体２に設置する。
【００５６】
図１０（ｃ）に示すように、イオン発生部５−２は、ファン３の回転軸１４から正電極３１−１までの第１の距離ｒ１−１とファン３の回転軸１４から負電極３２−１までの第２の距離ｒ２−１とが異なるように本体２の下面２ｂに配置する。あるいは、ファン３の回転軸１４から正電極３１−２までの第１の距離ｒ１−２とファン３の回転軸１４から負電極３２−２までの第２の距離ｒ２−２とが異なるように本体２の下面２ｂに配置する。負電極３２−１，３２−２は本体２の下面２ｂでかつファン３で発生する旋回風Ｗの風速分布の最大付近に位置する。正電極３１−１．３１−２は本体２の下面２ｂでかつ負電極３２−１，３２−２より回転軸に近い位置（負電極３２−１，３２−２より風速が低い位置）に位置する。
【００５７】
かかる構成によれば、イオン発生部５−２の複数の正電極３１−１，３１−２により生じる大量の正イオンと複数の負電極３２−１，３２−２により生じる大量の負イオンがそれぞれ異なる気流Ｗ２，Ｗ１に運ばれることにより、正イオンと負イオン同士の中和が減り、大量の正イオンおよび大量の負イオンを効率よく室内に放出し、かつ、室内では正イオン量および負イオン量をバランス良くすることができる。
【００５８】
また、ファン３は、回転することにより旋回風Ｗを発生しており、旋回風Ｗの風上側にイオン発生部５−２の負電極３２−１，３２−２を配置し、旋回風Ｗの風下側にイオン発生部５−２の正電極３１−１，３１−２を配置する。
【００５９】
かかる構成によれば、イオン発生部５−２の複数の負電極３２−１，３２−２により生じる大量の負イオンを旋回風の風上側から送風するため、消滅しやすい負イオンを室内空間により多く拡散することができる。
【００６０】
また、イオン発生部５−２は、ファン３が回転する方向に対し、負電極３２−１，３２−２、正電極３１−１，３１−２の順になるよう本体２の下面２ｂに配置する。
【００６１】
また、ファン３の回転軸１４からイオン発生部５−２の負電極３２−１までの第２の距離ｒ２−１は、ファン３の回転軸１４からイオン発生部５−２の正電極３１−１までの第１の距離ｒ１−１より長く設定するのが好ましい。あるいは、ファン３の回転軸１４からイオン発生部５−２の負電極３２−２までの第２の距離ｒ２−２は、ファン３の回転軸１４からイオン発生部５−２の正電極３１−２までの第１の距離ｒ１−２より長く設定するのが好ましい。
【００６２】
かかる構成によれば、イオン発生部５２の複数の正電極３１−１，３１−２により生じる大量の正イオンが回転軸１４に近い気流Ｗ２に運ばれ、複数の負電極３２−１，３２−２により生じる大量の負イオンが回転軸１４に遠い気流Ｗ１に運ばれる。大量の正負イオンがそれぞれ異なる気流Ｗ２，Ｗ１に運ばれることで、正負イオンの発生直後に、正イオンと負イオン同士の中和が減り、大量の正イオンおよび大量の負イオンを効率よく室内に放出し、かつ、室内での正イオン量と負イオン量とをバランス良くすることができる。
【００６３】
また、第１の距離ｒ１は、羽根車１０の羽根１１の回転半径Ｒよりも短い。かかる構成によれば、正電極３１−１，３１−２を羽根１１の回転半径Ｒの内側に位置しているため、正電極３１−１．３１−２で生じる正イオンを気流に乗せて、ファン３の吸気側から吹出側へ送り、室内に放出することができる。
【００６４】
さらに、イオン発生部５−２は、本体２下面側の羽根車１０の羽根１１の長手方向の先端側に近い位置に配置する。負電極３２−２は本体２の下面２ｂでかつファン３で発生する旋回風Ｗの風速分布の最大付近に位置する。正電極３１−２は本体２の下面２ｂでかつ負電極３２−２より回転軸１４に近い位置（負電極３２−２より風速が低い位置）に位置する。
【００６５】
かかる構成によれば、イオン発生部５−２で生じる大量の正イオンおよび大量の負イオンを、羽根車１０の羽根１１の先端付近で生じる強い気流にのせることができるため、ファンの回転数を上げることなく、大量の正負イオンを室内に拡散できるように送出することができる。
【００６６】
［変形例２］
また、図１１（ａ）および図１１（ｂ）に示すように、イオン発生部５−３は、正電極３１−１と負電極３２−１を１対とし、さらに、正電極３１−２と負電極３２−２を１対としたものを並べて配置するようにしてもよい。
【００６７】
図１１（ｃ）に示すように、イオン発生部５−３は、ファン３の回転軸１４から正電極３１−１までの第１の距離ｒ１−１とファン３の回転軸１４から負電極３２−１までの第２の距離ｒ２−１とが異なるように本体２の下面２ｂに配置するのが好ましい。あるいは、イオン発生部５−３は、ファン３の回転軸１４から正電極３１−２までの第１の距離ｒ１−２とファン３の回転軸１４から負電極３２−２までの第２の距離ｒ２−２とが異なるように本体２の下面２ｂに配置するのが好ましい。
【００６８】
かかる構成によれば、イオン発生部５−３の複数の正電極３１−１，３１−２により生じる大量の正イオンと複数の負電極３２−１，３２−２により生じる大量の負イオンがそれぞれ異なる気流に運ばれることで、正イオンと負イオン同士の中和が減り、大量の正イオンおよび大量の負イオンを効率よく室内に放出し、かつ、室内での正イオン量と負イオン量をバランス良くすることができる。
【００６９】
また、ファン３は、回転することにより旋回風Ｗを発生しており、旋回風Ｗの風上側にイオン発生部５−３の負電極３２−２を配置し、旋回風Ｗの風下側にイオン発生部５−３の正電極３１−２を配置する。さらに、旋回風Ｗの風上側にイオン発生部５−３の負電極３２−１を配置し、旋回風Ｗの風下側にイオン発生部５−３の正電極３１−１を配置する。
【００７０】
かかる構成によれば、イオン発生部５−３の複数の負電極により生じる大量の負イオンを旋回風Ｗの風上側から送風するため、消滅しやすい負イオンを室内空間により多く拡散することができる。
【００７１】
また、イオン発生部５−３は、ファン３が回転する方向に対し、負電極、正電極の順になるよう本体２の下面２ｂに配置する。
【００７２】
また、ファン３の回転軸１４からイオン発生部５―３の負電極３２−２までの第２の距離ｒ２−２は、ファン３の回転軸１４からイオン発生部５−３の正電極３１−２までの第１の距離ｒ１−２より長いのが好ましい。あるいは、ファン３の回転軸１４からイオン発生部５―３の負電極３２−１までの第２の距離ｒ２−１は、ファン３の回転軸１４からイオン発生部５−３の正電極３１−１までの第１の距離ｒ１−１より長いのが好ましい。
【００７３】
かかる構成によれば、イオン発生部５−３の複数の正電極３１−１．３１−２により生じる大量の正イオンが回転軸１４に近い気流に運ばれ、複数の負電極３２−１，３２−２により生じる大量の負イオンが回転軸１４に遠い気流に運ばれる。大量の正負イオンがそれぞれ異なる気流に運ばれることで、正負イオンの発生直後に、正イオンと負イオン同士の中和が減り、大量の正イオンおよび大量の負イオンを効率よく室内に放出し、かつ、室内での正イオン量と負イオン量とをバランス良くすることができる。
【００７４】
また、第１の距離ｒ１は、羽根車１０の羽根１１の回転半径Ｒよりも短い。かかる構成によれば、正電極３１−１，３１−２を羽根１１の回転半径Ｒの内側に位置しているため、正電極３１−１，３１−２で生じる正イオンを気流に乗せて、ファン３の吸気側から吹出側へ送り、室内に放出することができる。
【００７５】
さらに、イオン発生部５−３は、本体２の下面２ｂ側の羽根車１０の羽根１１の長手方向の先端側に近い位置に配置する。負電極３２−２は本体２の下面２ｂでかつファン３で発生する旋回風Ｗの風速分布の最大付近に位置する。正電極３１−２は本体２の下面２ｂでかつ負電極３２−２より回転軸１４に近い位置（負電極３２−２より風速が低い位置）に位置する。
【００７６】
かかる構成によれば、イオン発生部５−３で生じる大量の正イオンおよび大量の負イオンを、羽根車１０の羽根１１の先端付近で生じる強い気流にのせることができるため、ファンの回転数を上げることなく、大量の正負イオンを室内に拡散できるように送出することができる。
【００７７】
なお、上述したイオン発生部５は、本体２の下面２ｂに複数設けてもよい。例えば、２つのイオン発生部５を、本体２の下面２ｂに回転軸１４を通るように、互いに対角線上に配置するようにしてもよい。
【００７８】
図１２は、図１中のＸＩＩ−ＸＩＩ線から下方を見た場合の送風機１のファン３によって発生する気流を模式的に示す平面図である。
【００７９】
図１２（ａ）および図１２（ｂ）に示すように、イオン発生部５は、羽根１１の回転半径Ｒの外側に配置しており、本体２に含まれる照明本体２０の上面２０ａに回転軸１４から正電極３１までの距離ｒ１と回転軸１４から負電極３２までの距離ｒ２が異なるように配置してもよい。
【００８０】
さらに、ファン３の羽根車１０の先端の付近の領域は風力が大きいため、イオン発生部５は、正電極３１より負電極３２が回転軸１４に近い位置となるように照明本体２０の上面２０ａに配置している。すなわち、回転軸１４から負電極３２までの距離ｒ２が回転軸１４から正電極３１までの距離ｒ１よりも短い。なお、図１２（ｂ）のイオン発生部５は、図１２（ａ）に示す照明本体２０の上面２０ａの位置から１８０度回転した上面２０ａの位置に配置している。
【００８１】
かかる構成において、イオン発生部５の正電極３１により生じる正イオンと負電極３２により生じる負イオンがそれぞれ異なる気流Ｗ３，Ｗ４に運ばれることで、正負イオンの発生直後に、正イオンと負イオン同士の中和が減り、正イオンおよび負イオンを異なる気流Ｗ３，Ｗ４にそれぞれ乗せて、効率よく室内に放出し、かつ、室内での正イオン量と負イオン量とをバランス良くすることができる。
【００８２】
上述した本開示の実施形態１にかかる送風機について、さらに図１３および図１４を参照しながら詳説する。図１３は、送風機１のファン３を可動した際に発生する風の風速分布を示す側面図である。図１４では、本体２の回転軸１４からイオン発生部５の正電極３１までの距離ｒ１および負電極３２までの距離ｒ２が等しい場合と距離ｒ１と距離ｒ２とが異なる場合について、イオン発生部５で発生するイオン量をそれぞれ測定して比較した。
【００８３】
図１３に示すように、送風機１は、ファン３を回転すると、照明本体２０の開口部２３からイオン発生部５で生じる正負イオンを含む空気を吹き出している。ファン３の回転軸１４の直下方向の周辺領域は風力が小さい。ファン３の羽根車１０の先端の直下方向の領域は風力が大きい。
【００８４】
図１４（ａ）に示すように、本体下面において、回転軸からイオン発生部の正電極までの距離ｒ１と回転軸からイオン発生部の負電極までの距離ｒ２が等しい位置にイオン発生部を設置する。例えば、ｒ１＝ｒ２＝９０ｍｍとする。
【００８５】
図１４（ａ）に示す送風機１０１を閉じられた室内に設置して、所定の測定点において、正イオンおよび負イオンを測定したところ、例えば、正イオンは約８０，０００個／ｃｍ３、負イオンは約３３０，０００個／ｃｍ３であった。
【００８６】
正イオンが負イオンより少ない点を考察すると、本体下面のイオン発生部の正電極が風上側に位置し、負電極が風下側に位置するため、風上の正イオンが風下の負イオンと中和されて、減少することにより、室内中に拡散される正イオンが負イオンに比べて少量となっているものと考えられる。
【００８７】
そこで、図１４（ｂ）に示すように、本体下面において、回転軸からイオン発生部の正電極までの距離ｒ１と負電極までの距離ｒ２とが異なるようにイオン発生部を設置する。例えば、ｒ１＝８５ｍｍ、ｒ２＝１０５ｍｍとする。
【００８８】
図１４（ｂ）に示す送風機１を閉じられた室内に設置して、所定の測定点において、正イオンおよび負イオンを測定したところ、例えば、正イオンは約３７０，０００個／ｃｍ３、負イオンは約３２０，０００個／ｃｍ３であった。
【００８９】
正イオン量と負イオン量を考察すると、本体下面のイオン発生部の負電極がファン先端側に位置し、正電極が回転軸側に位置するため、正イオンと負イオンとは異なる風の流れで運ばれ、中和・消滅されるイオン量が減り、室内中に拡散される正イオンと負イオンがバランスよく拡散されるものと考えられる。
【００９０】
上記実施形態では一例として、主に、送風機が、天井に取り付けられるシーリングライトにファンが取り付けられている場合について説明したが、上記における送風機は、例えば、除湿機、加湿機、空気清浄機、エアーコンディショナー、脱臭機、冷蔵庫、掃除機、調理家電などの電子機器等であってもよい。
【００９１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００９２】
Ｌ  天井
Ｓ  空間
Ｓ１  流通口
１  送風機
２  本体
２ａ  上面
２ｂ  下面
２ｃ  周縁部
３  ファン
４  照明部
５  イオン発生部
６  ステー
７  ファンガード
１０  羽根車
１０ａ  上端
１１  羽根
１２  ボス部
１３  モータ部
１４  回転軸
１５  固定ネジ
２０  照明本体
２０ａ  上面
２１  空洞部
２２  照明カバー
２３  開口部
３０  筐体
３１  正電極
３２  負電極
３３  誘導電極
３４  誘導電極
３５  門型フレーム
【図１】
2020190351.tif 000003
【図２】
2020190351.tif 000004
【図３】
2020190351.tif 000005
【図４】
2020190351.tif 000006
【図５】
2020190351.tif 000007
【図６】
2020190351.tif 000008
【図７】
2020190351.tif 000009
【図８】
2020190351.tif 000010
【図９】
2020190351.tif 000011
【図１０】
2020190351.tif 000012
【図１１】
2020190351.tif 000013
【図１２】
2020190351.tif 000014
【図１３】
2020190351.tif 000015
【図１４】
2020190351.tif 000016